【事件の表示】
　平成　５年特許願第　７０９９９号「衛星信号受信用のアンテナ」拒絶査定不服審判事件〔平成　６年　９月１６日出願公開、特開平　６−２６０９５５〕について、次のとおり審決する。
【結　論】
　本件審判の請求は、成り立たない。
【理　由】
１．出願の経緯
　本願は、平成５年３月５日に出願されたものであって、平成１５年２月１０日付の手続補正書によって全文訂正された明細書及び図面の記載から見て、その請求項１に係る発明は、特許請求の範囲の請求項１に記載されたとおりの、次の所にあるものと認める。
　「【請求項１】　衛星信号受信用のアンテナ３５と、アンテナ３５における反射鏡の焦点位置に装着されたコンバータ１０とを備え、
そのコンバータ１０においては、
反射鏡の焦点位置に受信部を備えさせると共に、第１及び第２のＶＨ出力端１４ａ，１４ｂを備えさせ、その第１及び第２のＶＨ出力端１４ａ，１４ｂには、夫々一本の伝送線３６ａ，３６ｂを個別的に接続し、
上記伝送線３６ａ，３６ｂの夫々には、各垂直偏波と水平偏波の選択操作部３８を操作することによって電圧値が高低異なる、垂直偏波と水平偏波との切替信号の送出を可能にする受信機３７ａ，３７ｂを個別に接続し、
　上記アンテナにおける反射鏡の焦点位置に対して配置されているコンバータ１０には、アンテナからの垂直偏波の衛星信号を受け入れて周波数変換し出力する垂直用周波数変換回路と、
上記アンテナからの水平偏波の衛星信号を受け入れて周波数変換し出力する水平用周波数変換回路と、
夫々は、上記二本の伝送線３６ａ，３６ｂに夫々個別に接続された受信機３７ａ，３７ｂからの夫々の電圧値の高低の違いによる切替信号に応じて対応切替動作をする第１と第２の二つの切替手段２１ａ、２１ｂとを備え、
上記第１の切替手段は、上記垂直用周波数変換回路又は水平用周波数変換回路を上記第１のＶＨ出力端１４ａに交換的に繋ぐよう、上記両周波数変換回路と上記第１出力端との間に接続すると共に、
該切替手段における切替信号の入力端は上記第１のＶＨ出力端１４ａと対応する伝送線３６ａを介して上記一方の受信機３７ａに接続し、
上記第２の切替手段は、上記垂直用周波数変換回路又は水平用周波数変換回路を上記第２のＶＨ出力端１４ｂに交換的に繋ぐよう、上記両周波数変換回路と上記第２出力端との間に接続すると共に、
該切替手段における切替信号の入力端は上記第２のＶＨ出力端１４ｂと対応する伝送線３６ｂを介して上記他方の受信機３７ｂに接続し、
上記受信機３７ａ、３７ｂを個別に操作して電圧値の高低異なる切替信号を夫々対応する伝送線３６ａ，３６ｂを介して上記コンバータ１０に送出することにより、夫々対応する個々の１本の伝送線３６ａ，３６ｂを介して上記コンバータ１０から直接上記の受信機３７ａ，３７ｂに選択された後の垂直偏波又は水平偏波が届くようにしてあること特徴とする衛星信号受信用のアンテナ。」
　
２．刊行物記載の発明
　これに対し、原査定の拒絶の理由に引用された特開平５−１４９０１号公報（平成５年１月２２日特許庁発行）（以下、「引用刊行物」という。）には、衛星放送受信システム及びこのシステムに用いる切換分配器に関する発明が記載されており、
そこには、
　「【０００３】
　【発明が解決しようとする課題】・・・共有の衛星アンテナを用いて複数の受信機に放送信号を分配する場合には分配器と各受信機との間は信号本数分の信号ケーブルで接続しなければならず接続が非常に複雑となり、又、家庭の状況によっては複数の信号ケーブルを引回せない場合もある。
【０００４】そこで、本発明は複数の衛星アンテナを共有するシステムにあって衛星アンテナを共有するシステムにあって切換分配器と各受信機間の接続が１本の信号ケーブルで済む衛星放送受信システムを提供することを課題とする。また、本発明は複数の衛星アンテナの出力の内所望の放送信号を複数の受信機に選択的に伝送し、各受信機間の接続が１本の信号ケーブルでそれぞれ行うことができる切換分配器を提供することを課題とする。」
　
　「【０００８】
【実施例】以下、本発明の実施例を図面を用いて説明する。図１及び図２には本発明の第１実施例が示されている。
【０００９】図２には衛星放送受信システムの回路ブロック図が示されている。図２において、衛星アンテナはＢＳアンテナ１とＣＳ１アンテナ２とＣＳ２アンテナ３の３本が設置され、ＢＳアンテナ１はＢＳ放送波、ＣＳ１アンテナ２はＣＳ１放送波ＣＳ２アンテナ３はＣＳ２放送波をそれぞれ集束させる。」
　
　「【００１１】ＣＳ１アンテナ２で集束するＣＳ１放送波はＣＳ１コンバータ７に取込まれる。ＣＳ１放送波は直交する２種の直線偏波であり、ＣＳ１コンバータ７は水平偏波放送信号と垂直偏波放送信号をそれぞれ所定の周波数に変換して２本の信号ケーブル８，９を介して切換分配器６の第２及び第３入力端子ｔ２，ｔ３にそれぞれ導く。」
　
　「【００１３】切換分配器６は４つの分配出力端子ｔ６〜ｔ９を有し、この各分配出力端子ｔ６〜ｔ９には前記５本の入力放送信号の内所望の放送信号を別個独立に選択して出力するもので、この詳しい構成は図１に示されている。各分配出力端子ｔ６〜ｔ９にはそれぞれ信号ケーブル１３〜１６が接続され、この各信号ケーブル１３〜１６の他端がＢＳ／ＣＳ受信機１７〜２０に接続されている。
【００１４】各ＢＳ／ＣＳ受信機１７〜２０は電源スイッチにて電源がオンされるとコンバータ電源を各信号ケーブル１３〜１６を介して出力するよう構成されている。又、各ＢＳ／ＣＳ受信機１７〜２０は放送選択スイッチを有し、このスイッチで５種類（ＢＳ放送、ＣＳ１の水平偏波放送等）の放送を選択できる。この放送選択スイッチによる選択情報は電源電圧変換回路及びパルスコード回路に入力される。
【００１５】電源電圧変換回路はＢＳ放送又はＣＳ１，ＣＳ２放送のＨ偏波放送選択時にはコンバータ電源の電圧レベルを＋１５Ｖ、ＣＳ１，ＣＳ２放送のＶ偏波放送選択時にはコンバータ電源の電圧レベルを＋１１Ｖとして出力する。パルスコード回路はＢＳ放送、ＣＳ１放送、ＣＳ２放送の３つの選択情報をコントロールパルスに変換する。即ち、選択情報はコンバータ電源の電圧レベル（＋１５Ｖ，＋１１Ｖ）とコントロールパルスに変換され、このコンバータ電源とこれに重畳されたコントロールパルスを各信号ケーブル１３〜１６を介して出力するよう構成されている。」
　
　「【００１６】ここで、選択情報をコンバータ電源の電圧レベルにのみ変換することが考えられる。しかし、選択情報の数が２〜３個であれば各基準レベルの差を大きくとることができるが数が多くなると各基準レベルの差を小さくせざるを得ず、その結果、電圧変動によって誤動作するおそれがある。本実施例はコンバータ電源の電圧レベルを２段階であるため誤動作の心配がなく、しかも、全てコントロールパルスにて伝送する場合に比較してデータビット数が少なくて良い。」
　
　「【００１７】図１には切換分配器６の回路ブロック図が示されている。図１において、切換分配器６には分配出力端子ｔ６〜ｔ９と同数の第１〜第４切換スイッチＳＷ１〜ＳＷ４が設けられ、この各切換スイッチＳＷ１〜ＳＷ４には５つの入力放送信号が全て入力されている。各切換スイッチＳＷ１〜ＳＷ４は５つの入力放送信号の１信号を切換制御信号に基づいて選択し、この選択した放送信号はダイオードＤ１及びコントロールパルストラップ回路２１を介して各分配出力端子ｔ６〜ｔ９に供給されている。
【００１８】また、各分配出力端子ｔ６〜ｔ９はコイルＬ及びダイオードＤ２を介してレギュレータ２２に接続され、このレギュレータ２２はコンバータ電源・コントロールパルス検出回路２３及びマイコン２４に定電圧を供給する。又、各分配出力端子ｔ６〜ｔ９は前記コイルＬを介してコンバータ電源・コントロールパルス検出回路２３に接続され、このコンバータ電源・コントロールパルス検出回路２３はコンバータ電源の電圧レベルとコントロールパルスを検出してこれをマイコン２４に出力する。
【００１９】マイコン２４はコンバータ電源の電圧レベルとコントロールパルスより選択情報をデコードし、このデコードした選択情報に基づき選択情報が入力された分配出力端子ｔ６〜ｔ９に対応する第１〜第４切換スイッチＳＷ１〜ＳＷ４に切換制御信号を出力する。」
　
　「【００２０】以下、上記構成の作用について説明する。４台のＢＳ／ＣＳ受信機１７〜２０の例えば１台のＢＳ／ＣＳ受信機１７がその電源スイッチをオンし、且つ、放送選択スイッチにてＢＳ放送を選択する。すると、コンバータ電源が信号ケーブル１３を介して出力されると共にコントロールパルスがこれに重畳されて出力される。
【００２１】レギュレータ２２はコンバータ電源にてコンバータ電源・コントロールパルス検出回路２３及びマイコン２４に電源を供給し、マイコン２４にはコンバータ電源・コントロールパルス検出回路２３より電圧レベルデータ及びコントロールパルスが入力される。マイコン２４はこの電圧レベルデータ及びコントロールパルスをデコードして第１切換スイッチＳＷ１に切換制御信号を出力する。
【００２２】第１切換スイッチＳＷ１はＢＳ放送用端子を選択し、前記コンバータ電源はこの第１切換スイッチＳＷ１より信号ケーブル５を介してＢＳコンバータ４に供給される。この電源供給によりＢＳコンバータ４が駆動し、ＢＳコンバータ４はＢＳ放送信号を出力する。この出力したＢＳ放送信号は信号ケーブル５を介して切換分配器６内に導かれ、第１切換スイッチＳＷ１を通って第１分配出力端子ｔ６に導かれる。そして、ＢＳ放送信号は信号ケーブル１３を介してＢＳ／ＣＳ受信機１７に出力される。
【００２３】また、この状況にあって他のＢＳ／ＣＳ受信機１８〜２０も電源オンされ、且つ所望の放送信号が選択されると、上記と同様にして第２乃至第４切換スイッチＳＷ２〜ＳＷ４が所望の放送信号端子を選択する。そして、選択されたＣＳ１コンバータ７やＣＳ２コンバータ１０にコンバータ電源が供給されてＣＳ１コンバータ７やＣＳ２コンバータ１０が駆動して各ＢＳ／ＣＳ受信機１８〜２０には所望の放送信号が出力される。従って、各ＢＳ／ＣＳ受信機１７〜２０には切換分配器６との間を１本の信号ケーブル１３〜１６で接続するだけで別個独立に所望の放送を受信できる。」
と記載されている。
　
　そこで、引用刊行物において、ＣＳ１及び受信機１７，１８についてのみ着目すると、そこには、
　直交する２種の直線偏波からなるＣＳ１放送波を受信するＣＳ１衛星アンテナ２と、ＣＳ１アンテナ２で集束するＣＳ１放送波を取込むＣＳ１コンバータ７と、ＣＳ１コンバータ７に取込まれた放送信号から水平偏波放送信号と垂直偏波放送信号をそれぞれ所定の周波数に変換して２本の信号ケーブル８，９を介して切換分配器６の第２及び第３入力端子ｔ２，ｔ３にそれぞれ導き、切換分配器６は２つの分配出力端子ｔ６，ｔ７を有し、この各分配出力端子ｔ６，ｔ７には前記２本の入力放送信号の内所望の放送信号を別個独立に選択して出力するもので、各分配出力端子ｔ６，ｔ７にはそれぞれ信号ケーブル１３，１４が接続され、この各信号ケーブル１３，１４の他端がＣＳ受信機１７，１８に接続されている。
　又、各ＣＳ受信機１７，１８は放送選択スイッチを有し、このスイッチで２異種類（ＣＳ１の水平偏波放送と垂直偏波放送）の放送を選択できる。この放送選択スイッチによる選択情報は電源電圧変換回路に入力される。
　電源電圧変換回路はＣＳ１放送のＨ偏波放送選択時にはコンバータ電源の電圧レベルを＋１５Ｖ、ＣＳ１放送のＶ偏波放送選択時にはコンバータ電源の電圧レベルを＋１１Ｖとして出力する。
　図１には切換分配器６の回路ブロック図が示されている。図１において、切換分配器６には分配出力端子ｔ６，ｔ７と同数の第１，２切換スイッチＳＷ１．ＳＷ２が設けられ、この各切換スイッチＳＷ１．ＳＷ２には２つの入力放送信号が全て入力されている。各切換スイッチＳＷ１．ＳＷ２は２つの入力放送信号の１信号を切換制御信号に基づいて選択し、この選択した放送信号はダイオードＤ１及びコントロールパルストラップ回路２１を介して各分配出力端子ｔ６，ｔ７に供給されている。
　また、各分配出力端子ｔ６，ｔ７はコイルＬ及びダイオードＤ２を介してレギュレータ２２に接続され、このレギュレータ２２はコンバータ電源検出回路２３及びマイコン２４に定電圧を供給する。又、各分配出力端子ｔ６，ｔ７は前記コイルＬを介してコンバータ電源検出回路２３に接続され、このコンバータ電源検出回路２３はコンバータ電源の電圧レベルを検出してこれをマイコン２４に出力する。
　マイコン２４はコンバータ電源の電圧レベルより選択情報をデコードし、このデコードした選択情報に基づき選択情報が入力された分配出力端子ｔ６，ｔ７に対応する第１，２切換スイッＳＷ１．ＳＷ２チに切換制御信号を出力する
衛星放送受信システム及び切換分配器に関する発明が記載されている（以下、これを「引用発明」という。）
　
３．対比
　そこで、本願請求項１に係る発明（以下、「本願発明」という。）と、引用発明とを対比すると、引用発明における「ＣＳ１アンテナ２」，「ＣＳ１コンバータ７」，「分配出力端子ｔ６，ｔ７」，「信号ケーブル１３，１４」，「放送選択スイッチ」，「コンバータ電源の電圧レベル」，「ＣＳ受信機１７，１８」，「切換スイッチＳＷ１，ＳＷ２」は、それぞれ本願発明における「衛星信号受信用のアンテナ３５」，「コンバータ１０」，「第１及び第２のＶＨ出力端１４ａ，１４ｂ」，「伝送線３６ａ，３６ｂ」，「選択操作部３８」，「垂直偏波と水平偏波との切替信号」，「受信機３７ａ，３７ｂ」，「切替手段２１ａ，２１ｂ」に相当し、又、引用発明のコンバータ１０も本願発明と同様に、アンテナにおける反射鏡の焦点位置に配置され、アンテナからの垂直偏波及び水平偏波の衛星信号を受け入れて周波数変換しているので、両者は共に、
衛星信号受信用のアンテナ３５と、アンテナ３５における反射鏡の焦点位置に装着されたコンバータ１０とを備え、そのコンバータ１０においては、反射鏡の焦点位置に受信部を備えさせると共に、アンテナからの垂直偏波の衛星信号を受け入れて周波数変換し出力する垂直用周波数変換回路と、上記アンテナからの水平偏波の衛星信号を受け入れて周波数変換し出力する水平用周波数変換回路とを備えると共に、第１及び第２のＶＨ出力端１４ａ，１４ｂを備え、その第１及び第２のＶＨ出力端１４ａ，１４ｂには、夫々一本の伝送線３６ａ，３６ｂを個別的に接続し、上記伝送線３６ａ，３６ｂの夫々には、各垂直偏波と水平偏波の選択操作部３８を操作することによって電圧値が高低異なる、垂直偏波と水平偏波との切替信号の送出を可能にする受信機３７ａ，３７ｂを個別に接続し、夫々は、上記二本の伝送線３６ａ，３６ｂに夫々個別に接続された受信機３７ａ，３７ｂからの夫々の電圧値の高低の違いによる切替信号に応じて対応切替動作をする第１と第２の二つの切替手段２１ａ、２１ｂとを備え、上記第１の切替手段は、上記垂直用周波数変換回路又は水平用周波数変換回路を上記第１のＶＨ出力端１４ａに交換的に繋ぐよう、上記両周波数変換回路と上記第１出力端との間に接続すると共に、該切替手段における切替信号の入力端は上記第１のＶＨ出力端１４ａと対応する伝送線３６ａを介して上記一方の受信機３７ａに接続し、上記第２の切替手段は、上記垂直用周波数変換回路又は水平用周波数変換回路を上記第２のＶＨ出力端１４ｂに交換的に繋ぐよう、上記両周波数変換回路と上記第２出力端との間に接続すると共に、該切替手段における切替信号の入力端は上記第２のＶＨ出力端１４ｂと対応する伝送線３６ｂを介して上記他方の受信機３７ｂに接続し、上記受信機３７ａ、３７ｂを個別に操作して電圧値の高低異なる切替信号を夫々対応する伝送線３６ａ，３６ｂを介して上記コンバータ１０に送出することにより、夫々対応する個々の１本の伝送線３６ａ，３６ｂを介して上記コンバータ１０から直接上記の受信機３７ａ，３７ｂに選択された後の垂直偏波又は水平偏波が届くようにしてあること特徴とする衛星信号受信用の設備である点では同じである。
　
　ただ、本願発明においては、第１と第２の二つの切替手段２１ａ，２１ｂを含む全ての回路が反射鏡の焦点位置に対して配置されているコンバータ１０に収納されているのに対して、引用発明においては、コンバータは垂直偏波信号と水平偏波信号とを分離して取り出し、それをコンバータとは別体の切換分配器６内に２つの切替手段を備える点で、両者は相違している。
　
４．相違点についての当審の判断
　よって、上記相違点について判断すると、通信衛星の電波の偏波面は、垂直偏波と水平偏波の２つがあるので、アンテナで受信した電波を受信機へ伝送するためには、コンバータと受信機間とを２本のケーブルで接続する必要があったが、それを１本のケーブルで接続し、受信機側に２つの相異なる直流電圧を出力する直流電源と、前記２つの相異なる直流電圧の一方を出力可能とする切換スイッチと、同切換スイッチを制御する制御回路とを設けて、前記制御回路により前記切換スイッチを切り換えて直流電圧を第１中間周波信号を伝送して衛星放送受信機とコンバータ間を接続しているケーブルに重畳して前記コンバータに前記直流電圧を伝送して、同コンバータ側に設けられた電圧検出回路で前記相異なる直流電圧を検出してボラライザ回路に同検出信号を加えて、垂直偏波あるいは水平偏波で送信されている衛星放送電波に対応して信号電波を取り出すように切り換えて出力するようにすることは、例えば実願平２−３９７５５号（実開平３−１３０６３０号公報参照）の明細書及び図面を写したマイクロフィルムの記載から明らかなように当業者に周知である。
　
　従って、引用発明に上記周知の事項を適用することによって、コンバータ内に垂直偏波信号と水平偏波信号と切り換えて出力する切換スイッチを内蔵させてそれぞれの受信機に入力する信号を切り換えて出力させて本願発明のようにすることは、当業者が容易に発明をすることができたものと認められる。
　
５．審判請求人の主張について
　審判請求人は、平成１５年８月２０日付提出の手続補正書（その内容は審判請求の理由の補正）中において、
　本願発明の技術的課題は、１つのアンテナ３５で受信する垂直偏波及び水平偏波の２つの衛星信号を、経済的には最も少ない数の各１本の伝送線３６ａ、３６ｂという最も簡素な構成で、アンテナ３５におけるコンバータ１０から、直接、夫々の屋内３４ａ、３４ｂの受信機３７ａ、３７ｂに向けて垂直偏波又は水平偏波の衛星信号を夫々の受信機３７ａ、３７ｂでの選択利用可能に届けることを可能に可能にすることで、既設の家屋３４ａとは別の家屋３４ｂに、２台目の受信機３７ｂを増設する場合に、（１）伝送線が簡素な構成となり、（２）他人との煩わしい人間関係が解決され、（３）切替に伴う構成が単純で極めて安価な構成となることにあるのに対して、引用発明の技術的課題は、ＢＳ放送、ＣＳ放送等の多種類の衛星放送信号から、好みの衛星放送信号を、自分が所有する信号ケーブルを用いて取り出せるようにしたシステムを提供することにあり、そのために、引用発明においては切換分配器６に対して出来るだけ多種類の衛星放送信号を供給することを主眼点としており、そこには、アンテナで受信した衛星信号を選択して、数を減らして切換分配器に対して供給するような技術的思想は否定されており、そこには、本願発明において期待するところの、１本の伝送線を介して、アンテナのコンバータから直接受信機に対して選択された後の垂直偏波信号又は水平偏波信号のいずれかの１種類の信号が届くようにする点の技術的事項については開示されておらず、またそのような示唆も存在しない
等の主張をしている。
　
　しかしながら、引用発明においても、その切換分配器６から各々の受信機までの信号配線は各々１本ずつであり、その信号配線上に受信したい種類の衛星信号を選択するための選択切換信号を重畳して送り、その選択切換信号によって切換分配器内の切換スイッチを切り換えることによって、受信したい衛星信号を選択するようにしており、この点では引用発明は本願発明と同じである。又、切換分配器をコンバータと一体としてコンバータから受信機までの信号配線を１本とし、該配線上に選択切換信号を重畳することは、上記周知刊行物から明らかなように、当業者に周知の事項である。従って、引用発明に上記周知事項を適用すれば、本願発明と同様な構成となり、その得られる効果も本願発明と同じであることは、当業者が容易に考えることができたものである。
　したがって、審判請求人の係る主張には根拠がなく、採用することはできない。
　
６．まとめ
　以上のとおりであるので、本願発明は、上記引用刊行物に記載の発明に上記周知事項を適用することによって、当業者が容易に発明をすることができたものであり、特許法第２９条第２項の規定により特許を受けることができない。
　
　よって、結論のとおり審決する。